(57)【要約】【目的】  複数のＬＥＤ光源を有する照明装置において、ＬＥＤ光を有効に利用することで高輝度化を実現する。  【構成】  導光部２は、ガラスロッド２１、２２、２３とからなる。また、ガラスロッド２１、２２の間、及び、２２、２３の間には、低屈折率層２４、２５が形成されている。ガラスロッド２１は、入射面２１１から入射したＬＥＤ光源１１からの光をガラスロッド２２へ導光する。入射面２１１と対向する側には、導光方向に対してほぼ垂直な面を複数有して階段状に形成される出射部２１２を有する。この導光部２は、導光部２の左側に配置されるＬＥＤ光源１１からの光と、導光部２に配置されるＬＥＤ光源１２からの光と、ＬＥＤ光源１２の右側に配置されるＬＥＤ光源１３からの光とを重畳して、後段の光学系（ダイクロキューブ３）へ導く。  【選択図】  図２
2006301044.tif 000002
【特許請求の範囲】
【請求項１】
第１及び第２の光源と、
前記第１及び第２の光源光を同一方向に導光する導光手段と、を有し、
前記導光手段は、
前記第１の光源光を入射させる入射面と、前記入射面から入射した第１光源光を出射する出射部とを備えた第１導光手段と、
前記第１導光手段の出射部から出射した第１光源光を入射させる第１入射面と、前記第２の光源光を入射させる第２入射面と、前記第１及び第２の光源光を出射させる出射部と、を備えた第２導光手段と、
前記第１導光手段と前記第２導光手段の間に設けられた、前記第１及び第２導光手段よりも屈折率が低い低屈折率部材と、を備え、
前記第１導光手段の出射部は、前記第１導光手段の入射面に対してほぼ平行な面を複数有して階段状に形成され、前記入射面に対して傾斜状に構成され、
前記第２導光手段の第１入射面は、前記第１導光手段の入射面に対して傾斜状に形成され、
前記第２導光手段の第２入射面から入射した第２光源光は、前記第１入射面から入射した第１光源光の進行方向とほぼ同一になるよう前記第１入射面において反射する、照明装置。
【請求項２】
出射面が前記第２の光源の出射面に対向するよう配置される第３の光源を更に備え、
前記導光手段は、
前記第２導光手段の出射部から出射した第１及び第２光源光を入射する第１入射面と、前記第３の光源光を入射させる第２入射面と、前記第１ないし第３の光源光を出射させる出射部と、を備えた第３導光手段を更に備え、
前記第２導光手段の出射部は、前記第１導光手段の入射面に対してほぼ平行な面を複数有して階段状に形成されると共に、前記第１導光手段の出射部の傾斜に対して垂直となるよう傾斜状に形成され、
前記第３導光手段の第１入射面は、該第３導光手段の第２入射面から入射した第３光源光を、該第１入射面から入射した第１及び第２光源光の進行方向とほぼ同一になるよう反射させて、前記第１ないし第３の光源光を該第３導光手段の出射部へ導光する、請求項１記載の照明装置。
【請求項３】
前記第２導光手段の第２入射面は、前記第１導光手段の入射面に対して垂直である、請求項１又は２記載の照明装置。
【請求項４】
前記第３導光手段の第１入射面は、前記第２導光手段の第１入射面に対してほぼ垂直となるよう形成される、請求項２又は３記載の照明装置。
【発明の詳細な説明】
【技術分野】
【０００１】
この発明は、照明装置に関する。
【背景技術】
【０００２】
液晶プロジェクタなどに用いられる照明装置としては、近年においては、発光ダイオード（ＬＥＤ）を光源として用いることが試みられている（例えば、特許文献１参照）。かかる照明装置においては、照射面の光量むらを軽減するために、一対のフライアイレンズ、或いは、ロッドインテグレータによるインテグレート機能(光学デバイスにより平面内にサンプリング形成された所定形状の複数照明領域を照明対象物上に重畳集光する機能をいう）を持たせたものがある。
【０００３】
ロッドインテグレータに入射した光束は、ロッドインテグレータの側面で全反射を繰り返しながら、均一な面光源となって出射される。これによって照明むらを少なくすることができる。
【特許文献１】特開２００２−１８９２６３号
【発明の開示】
【発明が解決しようとする課題】
【０００４】
ところで、上記の照明装置においては、照明むらを少なくするだけでなく、高輝度化を図ることも重要な課題である。
【０００５】
高輝度化を図るための方法の一つとして、上記のロッドインテグレータの前方に複数のＬＥＤ光源を配置することが考えられる。しかしながら、ＬＥＤからは略放射状の光が出射されるので、ロッドインテグレータに取り込まれない光が発生する。そこで、ロッドインテグレータに取り込まれる光量を多くするためには、ロッドインテグレータの入射開口を大きくする必要がある。しかし、ロッドインテグレータの入射開口を大きくした場合、エタンデュが大きくなるので、液晶プロジェクタ光学系の光利用効率が低下するという問題がある。
【０００６】
エタンデュとは、光源ランプを含めた照明系や表示デバイスを含めた投写系において有効に扱え得る光束が存在する空間的な広がりを面積と立体角の積として数値化したものである。照明系のエタンデュは、発光体の有効表面積と放射角の積に比例したものである。投写系のエタンデュは、表示領域（液晶パネル）の面積を投写系のＦナンバーの２乗で割ったものに比例する。
【０００７】
液晶プロジェクタ光学系の光利用効率を大きくするためには、投写系のエタンデュを照明系のエタンデュよりも大きくする必要がある。したがって、複数のＬＥＤ光源光を取り込むためにロッドインテグレータの入射開口を大きくすると、照明系のエタンデュが大きくなるので、光利用効率の向上に不利になる。
【０００８】
そこで、この発明は上記の事情に鑑み、複数のＬＥＤ光源を有する照明装置において、上記説明したエタンデュの増大を抑えることによる高輝度化と、照明むらの低減の両方を実現することが可能な照明装置を提供することを目的とする。
【課題を解決するための手段】
【０００９】
（照明装置の第１の構成）
本願発明の第１の構成の照明装置は、第１及び第２の光源と、前記第１及び第２の光源光を同一方向に導光する導光手段と、を有する。
【００１０】
前記導光手段は、前記第１の光源光を入射させる入射面と、前記入射面から入射した第１光源光を出射する出射部とを備えた第１導光手段と、前記第１導光手段の出射部から出射した第１光源光を入射させる第１入射面と、前記第２の光源光を入射させる第２入射面と、前記第１及び第２の光源光を出射させる出射部と、を備えた第２導光手段と、前記第１導光手段と前記第２導光手段の間に設けられた、前記第１及び第２導光手段よりも屈折率が低い低屈折率部材と、を備える。
【００１１】
前記第１導光手段の出射部は、前記第１導光手段の入射面に対してほぼ平行な面を複数有して階段状に形成され、前記入射面に対して傾斜状に構成される。
【００１２】
前記第２導光手段の第１入射面は、前記第１導光手段の入射面に対して傾斜状に形成される。前記第２導光手段の第２入射面から入射した第２光源光は、前記第１入射面から入射した第１光源光の進行方向とほぼ同一になるよう前記第１入射面において反射する。
【００１３】
この照明装置によれば、複数のＬＥＤ光源を有する照明装置において、エタンデュの増大を抑えることにより、高輝度化と照明むらの低減の両方を実現することができる。
【００１４】
（照明装置の第２の構成）
本願発明の第２の構成の照明装置は、第１の構成の照明装置に加えて、出射面が前記第２の光源の出射面に対向するよう配置される第３の光源を更に備える。
【００１５】
また、前記導光手段は、前記第２導光手段の出射部から出射した第１及び第２光源光を入射する第１入射面と、前記第３の光源光を入射させる第２入射面と、前記第１ないし第３の光源光を出射させる出射部と、を備えた第３導光手段を更に備える。
【００１６】
前記第２導光手段の出射部は、前記第１導光手段の入射面に対してほぼ平行な面を複数有して階段状に形成されると共に、前記第１導光手段の出射部の傾斜に対して垂直となるよう傾斜状に形成される。
【００１７】
前記第３導光手段の第１入射面は、該第３導光手段の第２入射面から入射した第３光源光を、該第１入射面から入射した第１及び第２光源光の進行方向とほぼ同一になるよう反射させて、前記第１ないし第３の光源光を該第３導光手段の出射部へ導光する。
【００１８】
この照明装置によれば、導光手段の出射開口を小さくできる。ひいては、光利用効率を高めることができ、更なる高輝度化を実現することができる。
【００１９】
本願発明の照明装置は、好ましくは、前記第２導光手段の第２入射面は、前記第１導光手段の入射面に対して垂直である。
【００２０】
また、好ましくは、前記第３導光手段の第１入射面は、前記第２導光手段の第１入射面に対してほぼ垂直となるよう形成される。
【発明の効果】
【００２１】
この発明によれば、複数のＬＥＤ光源を有する照明装置において、上記説明したエタンデュの増大を抑えることにより、高輝度化と照明むらの低減の両方を実現することができる。
【発明を実施するための最良の形態】
【００２２】
以下、本願発明の照明装置、及び、この照明装置を用いた投写型映像表示装置の実施形態を説明する。
【００２３】
（照明装置、投写型映像表示装置の構成例）
図１は、投写型映像表示装置１０の構成を示す概観図である。この投写型映像表示装置１０は単板式の投写型映像表示装置であって、ＬＥＤ光源１１Ｒ、１２Ｒ、１３Ｒと、ＬＥＤ光源１１Ｂ、１２Ｂ、１３Ｂと、ＬＥＤ光源１１Ｇ、１２Ｇ、１３Ｇと、導光部２Ｒ、２Ｇ、２Ｂと、ダイクロキューブ３と、ロッドインテグレータ４、液晶表示パネル５、投写レンズ６、を有する。
【００２４】
ＬＥＤ光源１１Ｒ、１２Ｒ、１３Ｒは、赤色光を出射する。ＬＥＤ光源１１Ｇ、１２Ｇ、１３Ｇは、緑色光を出射する。ＬＥＤ光源１１Ｂ、１２Ｂ、１３Ｂは、青色光を出射する。
【００２５】
以下では、赤色のＬＥＤ光源１１Ｒ〜１３Ｒの個々の光源を特定しないで示すときには符号“１Ｒ”を用いる。青色のＬＥＤ光源１１Ｂ〜１３Ｂの個々の光源を特定しないで示すときには符号“１Ｂ”を用いる。緑色のＬＥＤ光源１１Ｇ〜１３Ｇの個々の光源を特定しないで示すときには符号“１Ｇ”を用いる。
【００２６】
ＬＥＤ光源１Ｒと、ＬＥＤ光源１Ｇと、ＬＥＤ光源１Ｂとは、図示しない点灯制御回路によって、時分割で順次に点灯される。
【００２７】
また、ＬＥＤ光源１１Ｒ、１１Ｇ、１１Ｂの個々の光源を特定しないで示すときには符号“１１”を用いる。ＬＥＤ光源１２Ｒ、１２Ｇ、１２Ｂの個々の光源を特定しないで示すときには符号“１２”を用いる。ＬＥＤ光源１３Ｒ、１３Ｇ、１３Ｂの個々の光源を特定しないで示すときには符号“１３”を用いる。
【００２８】
なお、ＬＥＤ光源１１は、本願発明の「第１の光源」に相当し、ＬＥＤ光源１２は、本願発明の「第２の光源」に相当し、ＬＥＤ光源１３は、本願発明の「第３の光源」に相当する。
【００２９】
導光部２Ｒは、上記赤色のＬＥＤ光源１１Ｒ、１２Ｒ、１３Ｒからの光を重畳して、ダイクロキューブ３へ導光する。導光部２Ｂは、上記青色のＬＥＤ光源１１Ｂ、１２Ｂ、１３Ｂからの光を重畳して、ダイクロキューブ３へ導光する。導光部２Ｇは、上記緑色のＬＥＤ光源１１Ｇ、１２Ｇ、１３Ｇからの光をして、ダイクロキューブ３へ導光する。
【００３０】
以後、導光部２Ｒ、２Ｂ、２Ｇの個々の導光手段を特定しないで示すときには符号“２”を用いる。
【００３１】
ダイクロキューブ３は、導光部２Ｒで重畳された赤色光と、導光部２Ｂで重畳された青色光と、導光部２Ｇで重畳された緑色光とを合成すると共に、ロッドインテグレータ４へ導く。
【００３２】
ロッドインテグレータ４に入射した光束は、ロッドインテグレータの側面で全反射を繰り返しながら、均一化されて出射される。ロッドインテグレータ４の出射側の開口は、液晶表示パネル５の縦横比に対応した長方形となっている。出射側の開口は、製造上の交差に対応するため、液晶表示パネル５よりも若干大きなものとなっている。
【００３３】
入射側の開口は、ダイクロキューブ３の大きさに対応した大きさとなっている。また、ロッドインテグレータ４は、入射側の開口が狭く、出射側の開口が広い、テーパ型となっている。このように、出射側の開口を入射側の開口よりも大きくすることにより、発光体の有効表面積と放射角の積に比例する値に依存する照明系のエタンデュを小さくすることができる。照明系のエタンデュを小さくすることにより、光利用効率を維持することが可能である。
【００３４】
ロッドインテグレータ４を出射した光は、液晶表示パネル５、投写レンズ６などからなる、投写光学系を経て、スクリーンに投写される。
【００３５】
液晶表示パネル５はカラーフィルタを備えない構造を有する。図示しない液晶表示パネルドライバは、ＬＥＤアレイ１Ｒ、１Ｇ、１Ｂが前述のごとく時分割で順次に点灯させるタイミングに同期して、液晶表示パネル５に各色の映像信号を供給する。
【００３６】
液晶表示パネル５を透過することで変調された光（映像光）は、投写レンズ６によって拡大投写され、図示しないスクリーン上に投影表示される。
【００３７】
なお、上記のＬＥＤ光源１Ｒ、１Ｇ、１Ｂ、導光部２Ｒ、２Ｂ、２Ｇ、ダイクロキューブ３、ロッドインテグレータ４は、本願発明の「照明装置」の一実施形態に相当する。
【００３８】
（導光手段の構成例）
図２は、本願発明の導光手段の一例である、導光部２の構成を示す図である。導光部２は、図面の左側に配置されるＬＥＤ光源１１からの光と、上側に配置されるＬＥＤ光源１２からの光と、ＬＥＤ光源１２の右側に配置されるＬＥＤ光源１３からの光とを重畳して、後段の光学系（ダイクロキューブ３）へ導く。
【００３９】
導光部２は、ガラスロッド２１、ガラスロッド２２、ガラスロッド２３とからなる。ガラスロッド２１は、本願発明の「第１導光手段」の一実施形態に相当し、ガラスロッド２２は、本願発明の「第２導光手段」の一実施形態に相当する。
【００４０】
また、ガラスロッド２１とガラスロッド２２の間、及び、ガラスロッド２２とガラスロッド２３の間には、少なくともガラス（屈折率約１．５）よりも屈折率が低い低屈折率層２４、２５が形成されている。低屈折率層２４、２５は、例えば低屈折率の接着剤、あるいは、エアギャップ（屈折率約１）で構成される。
【００４１】
図３は、ガラスロッド２１の構成を示す図である。ガラスロッド２１は、入射面２１１から入射したＬＥＤ光源１１からの光をガラスロッド２２へ導光する。ガラスロッド２１は、入射面２１１と対向する側に、入射面２１１に対してほぼ平行な面を複数有して階段状に形成される出射部２１２を有する。即ち、この出射部２１２は、入射面２１１に対して平行な面と垂直な面からなる、階段状のものとなっている。この「階段」の傾斜は、入射面２１１に対して、例えば４５度となるように形成される。出射部２１２から出射された光は、ガラスロッド２２へ進む。
【００４２】
図４は、ガラスロッド２２の構成を示す図である。ガラスロッド２２は、入射面２２１から入射したガラスロッド２１を透過したＬＥＤ光源１１からの光と、入射面２２２から入射したＬＥＤ光源１２からの光と、を重畳して、ガラスロッド２３へ導光する。
【００４３】
入射面２２１は、ガラスロッド２１の入射面２１１に対して傾斜状に形成されている。また、入射面２２１は、階段状に形成されたガラスロッド２１の出射部２１２の傾斜方向に対してほぼ平行に形成されている。
【００４４】
ガラスロッド２２は、入射面２２１と対向する側に、入射面２２１に対してほぼ平行な面を複数有して階段状に形成される出射部２２３を有する。入射面２２１から入射したＬＥＤ光源１１からの光は、出射部２２３へ向かう。
【００４５】
また、入射面２２２から入射したＬＥＤ光源１２からの光は、入射面２２１で反射して、入射面２２１から入射したＬＥＤ光源１１からの光と同様、出射部２２３へ向かう。ＬＥＤ光源１２からの光が入射面２２１で反射するのは、ガラスロッド２２と低屈折率層２４の屈折率の差によるものである。
【００４６】
したがって、出射部２２３からは、ＬＥＤ光源１１からの光と、ＬＥＤ光源１２からの光とが重畳された光が出射される。出射部２２３から出射された光は、ガラスロッド２３へ進む。
【００４７】
図５は、ガラスロッド２３の構成を示す図である。ガラスロッド２３は、入射面２３１から入射したガラスロッド２２からの光と、入射面２３２から入射したＬＥＤ光源１３からの光と、を重畳して、ダイクロキューブ３へ導光する。
【００４８】
入射面２３１は、ガラスロッド２１の入射面２１１に対して傾斜状に形成されている。また、入射面２３１は、ガラスロッド２２の出射部２２３の階段の傾斜方向に対してほぼ平行に形成されている。
【００４９】
ガラスロッド２３は、入射面２３１と対向する側に、ガラスロッド２１の入射面２１１に対して平行に形成される出射部２３３を有する。入射面２３１から入射したＬＥＤ光源１３からの光は、出射部２３３へ向かう。
【００５０】
また、入射面２３２から入射したＬＥＤ光源１３からの光は、入射面２３１で反射して、入射面２３１から入射したガラスロッド２２からの光と同様、出射部２３３へ向かう。ＬＥＤ光源１２からの光が入射面２３１で反射するのは、ガラスロッド２３と低屈折率層２５の屈折率の差によるものである。
【００５１】
したがって、出射部２３３からは、ガラスロッド２２で重畳されたＬＥＤ光源１１、１２からの光と、ＬＥＤ光源１３からの光とが重畳された光が出射される。出射部２３３から出射された光は、ダイクロキューブ３へ進む。
【００５２】
なお、上記では、３段の階段状であるガラスロッド２２の出射部２２３を例に説明したが、この「階段」の段数は、ガラスロッド２３の出射部２３３から出射される出射光の光量や分散角を考慮して最適な数に設計されるべきである。
【００５３】
（導光手段の他の構成例）
図６に示すように、上記の導光部２のガラスロッド２１を経てガラスロッド２２に入射するＬＥＤ１１からの光源光は、ガラスロッド２２の入射面２２１で屈折する。例えば、ガラスロッド２１の端面に平行な光束（ガラスロッドの入射面２１１に垂直な光束）は、ガラスロッド２２の入射面２２１で屈折して、同図の上方向に進む。そして、ガラスロッド２２からの出射後、ガラスロッド２３の入射面２３１で屈折して、更に上方向に進む。この結果として、ガラスロッド２３の出射面２３３から出射する光の分散角は、ガラスロッド２１の入射面２１１から入射した光の分散角よりも大きくなってしまう。
【００５４】
そこで、図７を参照して、ＬＥＤ１１からの光源光の分散角の増大を抑えることを目的とした導光手段の他の構成例（導光部７）を説明する。
【００５５】
導光部７は、ガラスロッド７１、ガラスロッド７２、ガラスロッド７３とからなる。また、ガラスロッド７１とガラスロッド７２の間、及び、ガラスロッド７２とガラスロッド７３の間には、少なくともガラスよりも屈折率が低い低屈折率層７４、７５が形成されている。低屈折率層７４、７５は、例えば低屈折率の接着剤、あるいは、エアギャップで構成される。
【００５６】
この導光部７は、図面の左側に配置されるＬＥＤ光源１１からの光と、図面上側に配置されるＬＥＤ光源１２からの光と、図面下側に配置されるＬＥＤ光源１３からの光とを重畳して、後段の光学系（ダイクロキューブ３）へ導く。
【００５７】
なお、ガラスロッド７１は、本願発明の「第１導光手段」の一実施形態に相当し、ガラスロッド７２は、本願請求項２の「第２導光手段」の一実施形態に相当し、ガラスロッド７３は、本願発明の「第３導光手段」の一実施形態に相当する。
【００５８】
図８は、ガラスロッド７１の構成を示す図である。ガラスロッド７１は、入射面７１１から入射したＬＥＤ光源１１からの光をガラスロッド７２へ導光する。ガラスロッド７１は、入射面７１１と対向する側に、入射面７１１に対してほぼ平行な面を複数有して階段状に形成される出射部７１２を有する。出射部７１２から出射された光は、ガラスロッド７２へ進む。
【００５９】
図９は、ガラスロッド７２の構成を示す図である。ガラスロッド７２は、入射面７２１から入射したガラスロッド７１を透過したＬＥＤ光源１１からの光と、入射面７２２から入射したＬＥＤ光源１２からの光と、を重畳して、ガラスロッド７３へ導光する。
【００６０】
入射面７２１は、ガラスロッド７１の入射面７１１に対して傾斜状に形成されている。また、入射面７２１は、ガラスロッド７１の出射部７１２の階段の傾斜方向に対してほぼ平行に形成されている。
【００６１】
ガラスロッド７２は、入射面７２１と対向する側に、ガラスロッド７１の入射面７１１と平行な面を複数有して階段状に形成される出射部７２３を有する。この階段は、入射面７１１に対して傾斜するように形成される（例えば、入射面７１１に対してほぼ４５度の傾斜となるように形成される）。また、出射部７２３の傾斜方向は、入射面７２１の傾斜方向と垂直になっている。入射面７２１から入射したＬＥＤ光源１１からの光は、出射部７２３へ向かう。
【００６２】
また、入射面７２２から入射したＬＥＤ光源７２からの光は、入射面７２１で反射して、入射面７２１から入射したＬＥＤ光源１１からの光と同様、出射部７２３へ向かう。ＬＥＤ光源１２からの光が入射面７２１で反射するのは、ガラスロッド７２と低屈折率層７４の屈折率の差によるものである。
【００６３】
したがって、出射部７２３からは、ＬＥＤ光源１１からの光と、ＬＥＤ光源１２からの光とが重畳された光が出射される。出射部７２３から出射された光は、ガラスロッド２３へ進む。
【００６４】
図１０は、ガラスロッド７３の構成を示す図である。ガラスロッド７３は、入射面７３１から入射したガラスロッド７２からの光と、入射面７３２（同図下側の入射面）から入射したＬＥＤ光源１３からの光と、を重畳して、ダイクロキューブ３へ導光する。
【００６５】
入射面７３１は、ガラスロッド７１の入射面７１１に対して傾斜状（ほぼ４５度方向）に形成されている。また、入射面７３１は、ガラスロッド７２の出射部７２３の階段の傾斜方向に対してほぼ平行に形成されている。
【００６６】
ガラスロッド７３は、入射面７３１と対向する側に、ガラスロッド７１の入射面７１１に対して平行に形成される出射部７３３を有する。入射面７３１から入射したＬＥＤ光源１３からの光は、出射部７２３へ向かう。
【００６７】
また、入射面７３２から入射したＬＥＤ光源７３からの光は、入射面７３１で反射して、入射面７３１から入射したガラスロッド２２からの光と同様、出射部７３３へ向かう。ＬＥＤ光源１２からの光が入射面７３１で反射するのは、ガラスロッド７３と低屈折率層７５の屈折率の差によるものである。
【００６８】
したがって、出射部７３３からは、ガラスロッド７２で重畳されたＬＥＤ光源１１、１２からの光と、ＬＥＤ光源１３からの光とが重畳された光が出射される。出射部７３３から出射された光は、ダイクロキューブ３へ進む。
【００６９】
導光部７のガラスロッド７１に入射する、ガラスロッド７１の端面に平行な光束（ガラスロッドの入射面７１１に垂直な光束）は、ガラスロッド７２の入射面７２１で屈折して、同図の上方向に進む。そして、ガラスロッド７２の出射面から出射する際、屈折により進行方向は同図の下側に変わる。更に、低屈折層７５からガラスロッド７３に入射する際、屈折して進行方向は更に下側に変わる。この結果、ガラスロッド７３の出射面７３３から出射する光の分散角の増大が抑えられることとなる。  
【００７０】
今回開示された実施の形態、及び実験例はすべての点で例示であって制限的なものではないと考えられるべきである。本発明の範囲は、上記した実施の形態の説明ではなくて特許請求の範囲によって示され、特許請求の範囲と均等の意味および範囲内でのすべての変更が含まれることが意図される。
【００７１】
（変形例：ガラスロッドの数）
上記実施形態では３つのガラスロッドを用いた導光手段を例に説明したが、ガラスロッドの数は３つ以上であっても良い。例えば、導光部２のタイプの導光手段であれば、ガラスロッド２２と同様のガラスロッドを（ＬＥＤ光源数-２）個、並べて配置しても良い。或いは、導光部２を（ＬＥＤ光源数／３）個、並べて配置しても良い。また、導光部７のタイプの導光手段であれば、導光部７を（ＬＥＤ光源数／３）個、並べて配置しても良い。
【００７２】
逆にガラスロッドの数は２個であっても良い。例えば、ガラスロッド２１と、ガラスロッド２３とを並べて配置した導光手段であっても良い（この導光手段は、本願請求項１に含まれるものである）。
【００７３】
（変形例：光源）
上記実施形態では、３つの導光手段（導光部２Ｒ、２Ｇ、２Ｂ）を用いた投写型映像表示装置１０を例に説明したが、これに代えて、導光手段は１つであっても良い。この場合、それぞれのガラスロッド（２１〜２３）に、赤色光、緑色光、青色光を入射させるようにしても良い。
【００７４】
或いは、上記実施形態では、各ガラスロッドに単色光を入射させるものとして説明したが、白色光を入射させるものであっても良い。この場合、投写型映像表示装置は単板式のものである。
【図面の簡単な説明】
【００７５】
【図１】投写型映像表示装置１０の構成を示す概観図である。
【図２】本願発明の導光手段の一例である、導光部２の構成を示す図（断面図）である。
【図３】導光部２のガラスロッド２１の構成を示す図である。
【図４】導光部２のガラスロッド２２の構成を示す図である。
【図５】導光部２のガラスロッド２３の構成を示す図である。
【図６】導光部２における、ＬＥＤ光源１１からの光の光路を示す図である。
【図７】本願発明の導光手段の他の例である、導光部７の構成を示す図である。
【図８】導光部７のガラスロッド７１の構成を示す図である。
【図９】導光部７のガラスロッド７２の構成を示す図である。
【図１０】導光部７のガラスロッド７３の構成を示す図である。
【符号の説明】
【００７６】
１  光源
２、７  導光部
１１、１２、１３  ＬＥＤ光源
２１、２２、２３、７１、７２、７３  ガラスロッド
２４、２５、７４、７５  低屈折率層
【図１】
2006301044.tif 000003
【図２】
2006301044.tif 000004
【図３】
2006301044.tif 000005
【図４】
2006301044.tif 000006
【図５】
2006301044.tif 000007
【図６】
2006301044.tif 000008
【図７】
2006301044.tif 000009
【図８】
2006301044.tif 000010
【図９】
2006301044.tif 000011
【図１０】
2006301044.tif 000012
【手続補正書】
【提出日】平成17年11月7日(2005.11.7)
【手続補正１】
【補正対象書類名】明細書
【補正対象項目名】００３２
【補正方法】変更
【補正の内容】
【００３２】
ロッドインテグレータ４に入射した光束は、ロッドインテグレータの側面で全反射を繰り返しながら、均一化されて出射される。ロッドインテグレータ４の出射側の開口は、液晶表示パネル５の縦横比に対応した長方形となっている。出射側の開口は、製造上の公差に対応するため、液晶表示パネル５よりも若干大きなものとなっている。
【手続補正２】
【補正対象書類名】図面
【補正対象項目名】図４
【補正方法】変更
【補正の内容】
【図４】
2006301044.tif 000013